(57)【特許請求の範囲】
【請求項１】
面材の四周縁部に亘って枠材が取着され、これらの枠材には内側に向けて開口される挿入溝が長さ方向に沿って形成され、且つ挿入溝の内側壁面に更に係止溝が挿入溝と平行に形成されて、面材の縁部が挿入された際に縁部に設けられた突部が係止溝に凹凸嵌合して係止されたことを特徴とするパネル。
【請求項２】
前記係止溝を有する内側壁の挿入溝開口端縁が広がって突部が挿入溝内に圧入されやすいように形成されることを特徴とする請求項１に記載のパネル。
【請求項３】
面材にコ字型ピンが打ち込まれて前記突部が形成されることを特徴とする請求項１又は２記載のパネル。
【発明の詳細な説明】
【０００１】
【発明の属する技術分野】
本発明は、主に建造物の天井や壁面に取り付けられるパネルに関する。
【０００２】
【従来の技術】
従来、例えば壁面に取り付けられるパネルとしては、枠体が異形型材であって面材をはめ込む挿入溝と面材をボルトで止着する凸縁と支持体に固定される固定翼とによって形成され、該枠体の挿入溝に面材が四周に亘ってはめ込まれると共に、挿入溝にはめ込まれた部分の面材の裏面方向から凸縁を介してボルトを突入させて止着されていた。また、パネルを連設させて相互の固定翼を重ね、ボルトにて支持体に螺着させ、相互の隙間に目地型材を嵌入させた取付構造が開示されている。
【０００３】
【発明が解決しようとする課題】
しかしながら、上記従来の技術に於いては、面材の四周を枠体の溝に挿入して数多くのボルトにて強く螺着せねばならず、作業工程が非常に煩雑となってコストや納期面で不都合があった。また、面材が四周に亘ってボルトによって固定されているので、設置後の気温の昇降によって面材の膨張収縮が繰り返される中で、例えば夏季に直射日光を受けて膨張すると吸収代がないために面材が緩んで凹凸に波打ち、光のムラが出来てしまって外観上見苦しいばかりでなく、面材の材質上無理がかかって品質の低下を来していた。
【０００４】
そこで本発明は、面材端縁に突部を設けて枠材への挿入溝に係止させたパネルを提供せんとするものである。
【０００５】
【課題を解決するための手段】
そこで面材の四周縁部に亘って枠材が取着されるこの枠材には、内側に向けて開口される挿入溝が長さ方向に沿って形成され、且つ挿入溝の内側壁面に更に係止溝が挿入溝と平行に形成されて、面材の縁部が挿入された際に縁部に設けられた突部が係止溝に凹凸嵌合して係止されてパネルが製せられる。
【０００６】
かかる面材は金属、プラスチック、木材、紙、無機材料又はそれらの複合材料のいずれであってもよく、設置場所や環境、要求性能によって好適に選定されてよい。また、枠材は例えばアルミ型材によって成型されたもので、寸法精度や外観に優れたものである。尚、面材の端縁に設けられる突部は面材の加工によって凸部が設けられたり、金具等を打ち込んで或いは止着して形成されてよく、面材が圧入される挿入溝に設けられた係止溝に凹凸嵌合される大きさ乃至形状であれば特に限定するものではない。
【０００７】
また、前記挿入溝の内側壁に前記係止溝を有し、且つこの側の開口端縁が広がって突部が圧入されやすいように形成される。即ち、突部が前記挿入溝の開口端縁に当たっても圧入することによって、導き入れることが出来るように傾斜角が設けられている。
【０００８】
前記突部にはコ字型ピンが用いられ、面材の端縁に打ち込まれて突部が形成されてよい。コ字型ピンは例えば書類などを綴じるために汎用的に使用される金具の類似で、エアーガン等の設備を使って面材に強力に打ち込まれる。打ち込まれたときの引抜強度が強い面材であれば、コ字型突部は間隔を置いて少なく設けられてよいが、引き抜き強度の弱い例えば木や紙などの面材は密に打ち込まれ又は裏面に引っかかりを設けて圧入に耐え得るようになされるとよい。
【０００９】
パネルの取付構造は、前記枠材の断面形状に於いて、挿入溝から面材と直角にしてパネルの裏面方向に壁面が形成され、更に枠材の外方向にＬ字状に屈曲して固定翼が設けられると共に、挿入溝と背を向け且つ挿入溝から固定翼間に目地係合溝が形成されてなる枠材によってパネルが形成され、かかるパネルが連設されたときに前記固定翼が互いに重なり合って支持体にボルトで螺着され、且つボルトで螺着された固定翼を覆うようにして枠材間の隙間に目地型材が圧入されて取り付けられるようにするのが好ましい。
【００１０】
また前記目地型材は長尺のゴム弾性成型体からなり、目地型材の横断面形状が蓋面の両端縁にフランジを設けて２列の脚部を出し、該脚部の下端から外側に跳ね返り突辺が設けられ、前記フランジと跳ね返り突辺とによって枠材間の隙間のばらつきに対応させた目地処理を可能にさせているのが好ましい。即ち隙間の多少によって蓋面の両側にあるフランジが隙間に対応させて枠材壁面で突っ張りながら折れ曲がり、更に脚部跳ね返り突辺が前記枠材の壁面に設けた係合溝に入って外れにくくさせるものである。
【００１１】
【発明の実施の形態】
以下に本発明の実施の一形態について図面に基づき具体的に説明する。
図１は本発明のパネルの斜視図であり、図２は図１の一部切欠き断面図、図３は図１の角部組付け斜視図である。また、図４は本発明の実施の一形態を示す目地型材の一部斜視図で、図５はパネルの連設部の取付部分断面図、図６は図５の枠間の隙間を変えたときのパネル取付部分断面図である。
【００１２】
図１、２、３において、面材１に枠材２が四周端縁に亘って嵌合され、角部にはＬ型金具がネジによって螺着されてパネルが形成されている。面材１はアルミなどの金属板又は樹脂板或いはそれらの複合板などが使用され、その四周端縁にコ字型ピン１１が打ち込まれて係止する突部１２が設けられている。枠材２は図２に示すようにアルミ型材からなり、面材１を圧入する挿入溝２１と挿入溝の内側面に前記突部１２が係止される係止溝２２と支持体に固定される固定翼２３と目地型材が係合される係合溝２４とで形成されている。
【００１３】
コ字型ピン１１は例えば書類などを綴じるために汎用的に使用される金具の類似で、エアーガン等の設備を使って面材に強力に打ち込まれる。例えばアルミなどの金属板又は樹脂板などは打ち込まれたときの引抜強度が強いので、コ字型ピン１１は間隔を置いて少なく設けられている。また枠材２の挿入溝２１に面材端縁が押し込まれる際に、前記コ字型ピン１１の突部１２が挿入溝２１入り口で引っかからないように挿入溝端部が面取りされ、圧入することによってコ字型ピン１１の突部１２が係止溝２２に凹凸嵌合されて係止されるようになされている。
【００１４】
このようにして面材の四周端縁に亘って枠材が嵌合されるが、必要に応じて四角にＬ型金具３がネジによって螺着され、枠材２が一体化されてよい。
【００１５】
前記面材１は必ずしも平面でなくてもよく、枠材２が湾曲して成型され、それに沿った曲面で面材を形成させることが出来る。また、面材１に枠材２が凹凸嵌合される手段として、面材１の３辺で枠材２を滑らせてコ字型ピン１１の突部を係止溝２２に治めることは至って容易に出来、残り１辺は例えばゴムハンマーで叩いたり、又はプレスで圧入して嵌合するとよい。
【００１６】
一方、挿入溝２１に面材１が嵌合されて１枚のパネルが形成されるが、気温の変化に伴って面材１が膨張収縮を繰り返すので、面材１が収縮する方向即ち挿入溝２１から抜ける方向にはコ字型ピン１１の突部１２が係止溝２２に引っかかる溝角度が形成され、また面材１が膨張する方向即ち挿入溝２１に深く入り込む方向にはコ字型ピン１１の突部１２が係止溝２２を乗り越え易い溝角度に形成されると共に、面材１の奥行きに膨張する余裕代が設けられている。従って、特に夏場の直射日光を受けて面材が膨張することがあっても、パネルが歪むことなくまた面材の表面が波打って光の散乱を来すことはない。
【００１７】
図４、５，６において図４は目地型材４を示し、蓋面４１と蓋面の両端縁にフランジ４２と蓋面から両脚を出して外方向に出した跳ね返り突辺４３と両脚間の固定ボルト収納スペース４４とボルトに挟設するボルト保持弁４５とを有するゴム弾性成型体によって形成されている。図５はかかる目地型材４がパネル取付けに際してパネル間の隙間に挟着される状態を示すもので、隣設するパネルの固定翼２３が重なってボルト５によって支持体６に螺着され、パネルの両枠材に挟まれた隙間に前記目地型材４が詰め込まれている。この目地型材４はパネルを連設させたときに発生する隙間のばらつきに対応させることが出来る。即ち図５はその標準的な図を示すが、図６（イ）は隙間が狭いとき、（ロ）は隙間の広いときを示しており、蓋面４１の両側フランジ４２が枠材の上面で挟設されると共に、跳ね返り突辺４３が枠材２の係合溝２４に入って係合され、併せてボルト保持弁４５がボルトを把持するなどして取り外しにくい形態がとられている。たとえ枠間の隙間が小さくても変形を伴ってゴム弾性の反発力を高めて狭設され、隙間が大きくても少なくとも跳ね返り突辺４３とボルト保持弁４５とで係合または把持される。このようにしてパネル間の隙間は目地型材によってシールされ、雨水や砂埃が隙間に入りにくい構造がなされている。
【００１８】
【発明の効果】
以上のように本発明は、面材の四周端縁に突部を設けると共に枠材の面材挿入溝の内壁面に係止溝を設けることによって、面材と枠材とが容易に凹凸嵌合させることが出来て、製作工程上極めて簡単にパネルを製造し且つコストを低減することが出来る。
【００１９】
また、パネルの組付けは隣設する枠材の固定翼を重ねて支持体にボルト止めする形態を取れば、高所や危険な足場の元で極めて簡単に壁面や天井面を形成することが出来、目地型材をその隙間に詰め込むことによって少々の隙間のばらつきがあっても目地型材は外れにくく、メンテナンスや耐久性の面に優れた対応がなされて確実に挟設させることが出来る。このようにセメントやコーキング剤など乾燥を必要とする湿式工法でなく、乾式工法によって簡単に且つ短時間で設置工事を行うことが出来る上、組上がったパネルが年間を通じての気温の変化に拘わらず、枠内にて面材の膨張収縮に対応させる構造がとられているので、設置後に於いてパネルの反りや曲がりが発生せず従って材質の低下や美観上の不都合が起こらない。
【図面の簡単な説明】
【図１】本発明のパネル斜視図である。
【図２】本発明の図１の組付一部切欠き断面図である。
【図３】本発明の図１の角部組付斜視図である。
【図４】本発明の一実施の形態を示す目地型材の一部斜視図である。
【図５】本発明のパネル取付部の断面図である。
【図６】図５の枠間の隙間を変えたときのパネル取付部の断面図であって、（イ）は隙間が狭いとき、（ロ）は隙間の広いときを示したものである。
【符号の説明】
１    面材
１１  コ字型ピン
１２  突部
２    枠材
２１  挿入溝
２２  係止溝
２３  固定翼
２４  係合溝
３    Ｌ型金具
４    目地型材
４１  蓋面
４２  フランジ
４３  跳ね返り突辺
４４  ボルトスペース
４５  ボルト保持弁
５    ボルト
６    支持体
【図１】
0003540681.tif 000002
【図２】
0003540681.tif 000003
【図３】
0003540681.tif 000004
【図４】
0003540681.tif 000005
【図５】
0003540681.tif 000006
【図６】
0003540681.tif 000007